(57)【特許請求の範囲】
【請求項１】
有底筒状の容器内が斜め下向きの通気性の受板で上下に仕切られ、前記受板上の前記容器内には吸湿剤を収容する吸湿剤収容室が形成され、前記容器の底部には呼吸用孔が設けられ、前記容器の上部には前記吸湿剤収容室に連通させる通気管と前記吸湿剤収容室内に前記吸湿剤を供給する吸湿剤投入部が設けられ、前記容器には前記吸湿剤収容室内の前記吸湿剤を排出する吸湿剤取出部が設けられ、前記吸湿剤取出部は基端の下面が前記受板の傾斜下端にほぼ一致するようにして該基端を前記容器内の前記吸湿剤収容室に連通させて先端を斜め下向きにして前記容器に気密に取付けられた吸湿剤取出筒体と、該吸湿剤取出筒体の先端側内面に周方向に刻設されたネジ部に螺着されて前記吸湿剤取出筒体の先端を閉塞する吸湿剤取出蓋とを備えて構成されている吸湿呼吸装置において、
前記吸湿剤取出部における前記吸湿剤取出筒体内には前記吸湿剤の排出量を調節する排出量調節手段が組み込まれていることを特徴とする吸湿呼吸装置。
【請求項２】
前記排出量調節手段は、前記吸湿剤取出筒体の前記ネジ部に螺合されていて前記吸湿剤を取出す吸湿剤取出し口を有する第１の吸湿剤阻止部材と、該第１の吸湿剤阻止部材に支持されていて前記吸湿剤取出し口の開度を調節する第２の吸湿剤阻止部材とを備えた構造になっていることを特徴とする請求項１に記載の吸湿呼吸装置。
【請求項３】
前記第２の吸湿剤阻止部材は回転角度の変更で前記吸湿剤取出し口の開度を調節できるように前記第１の吸湿剤阻止部材に回転可能に支持されていることを特徴とする請求項２に記載の吸湿呼吸装置。
【請求項４】
前記第２の吸湿剤阻止部材は前記第１の吸湿剤阻止部材に対する回転位置を固定するロック手段が設けられていることを特徴とする請求項３に記載の吸湿呼吸装置。
【発明の詳細な説明】
【０００１】
【発明の属する技術分野】
本発明は、油入電気機器に取り付けられる吸湿呼吸装置に関するものである。
【０００２】
【従来の技術】
吸湿呼吸装置は、油入電気機器の温度変化による絶縁油の呼吸に際し、該絶縁油が吸湿して劣化しないようにするためのものである。
【０００３】
従来のこの種の吸湿呼吸装置は、図４及び図５に示すように有底筒状の容器１を有し、該容器１内は前下りに傾斜した又は斜め下向きの受板２で上下に仕切られ、該受板２上の容器１内には吸湿剤収容室３が形成されている。吸湿剤収容室３内には吸湿剤４が充填されている。吸湿剤４としては、例えば塩化コバルトで青色に着色されたシリカゲルが使用されている。この吸湿剤４は、吸湿するにしたがって青色から薄桃色、桃色へと変色し、吸湿の度合いがわかるようになっている。受板２の中央には通気孔５があけられ、該通気孔５を塞ぐように受板２上には金網６が載置され、ビス７で固定され、通気が行えるようになっている。
【０００４】
容器１の前面には、吸湿剤監視窓８と吸湿剤取出部９が設けられている。吸湿剤監視窓８を構成する枠体１０の下側構成部材１０Ａの上面には後下りの傾斜面１１が設けられていて、吸湿剤排出時に枠体１０の部分に吸湿剤４が取残されないようになっている。
【０００５】
吸湿剤取出部９は、基端の下面が受板２の傾斜下端にほぼ一致するようにして該基端を容器１内の吸湿剤収容室３に連通させて先端を斜め下向きにして容器１に気密に取付けられた吸湿剤取出筒体１２と、該吸湿剤取出筒体１２の先端側内面に周方向に刻設されたネジ部に螺着されて吸湿剤取出筒体１２の先端を閉塞する吸湿剤取出蓋１３と、吸湿剤取出筒体１２の先端と吸湿剤取出蓋１３との間に介在されたパッキン１４とで構成されている。
【０００６】
容器１の底部１５の中央には吸排気孔１６が設けられ、該吸排気孔１６に対応して底部１５の下にはオイルポット１７が配設されている。該オイルポット１７を取付けるために底部１５の下面には１２０度間隔で座板１８が取付けられ、該座板１８には内周にネジが刻設されている連結リング１９が取付けられている。この連結リング１９にオイルポット１７が着脱自在に取付けられている。該オイルポット１７はアクリル樹脂等の透明材で形成されている。オイルポット１７の上端には、底部１５と連結リング１９との間に座板１８をスペーサとして通気口２０が形成されている。オイルポット１７内の底側には油面位置基準線２１の位置までシール油２２が収容されている。油面位置基準線２１はオイルポット１７の外周に朱色で刻設されている。オイルポット１７内には該オイルポット１７の内径より小さな外径の吸排気管２３が同心状に配設されている。該吸排気管２３の上端は吸排気孔１６を包囲して底部１５の下面に気密に取付けられ、下端はシール油２２中に浸漬されている。吸排気管２３の下端には、上向きに切込み２４が、油面位置基準線２１を越えない高さで設けられている。容器１の下部には油面位置基準線２１に対応して覗き窓２５が設けられている。
【０００７】
容器１の上端外周にはフランジ２６が突設され、該フランジ２６上にはパッキン２７を介して該容器１の上端を閉塞する主蓋２８が載置され、ボルト２９とナット３０とで気密に取付けられている。主蓋２８には吸湿剤投入部３１と本体連通部３２が形成されている。吸湿剤投入部３１は、主蓋２８に形成された吸湿剤投入孔３３と、吸湿剤投入孔３３を包囲して主蓋２８の上面に気密に取付けられた吸湿剤投入筒体３４と、該筒体３４の上部に切られた内ネジに螺着されて吸湿剤投入筒体３４を閉塞しているキャップ状の吸湿剤投入蓋３５と、図示しないが吸湿剤投入筒体３４の上端と吸湿剤投入蓋３５との間に介在されたパッキンとで構成されている。本体連通部３２は、主蓋２８に形成された通気孔３６と、通気孔３６を包囲して主蓋２８の上面に気密に取付けられた通気管３７と、該通気管３７の上端外周に取付けられて図示しない油入電気機器の呼吸口に連結するための接続フランジ３８とで構成されている。
【０００８】
このような吸湿呼吸装置は、常時はシール油２２がシールの役割をはたして内外の空気を遮断しているが、油入電気機器の内圧が下り、外気圧と該油入電気機器の内圧との差が一定値以上に達すると、オイルポット１７内で油面が吸排気管２３の内外で差が生じて、切込み２４のところで空気の流通を許す。矢印で示した如く通気口２０から吸気された外気は、シール油２２を通って濾過された後、吸排気管２３及び吸排気孔１６を経て吸湿剤収容室３中を通りながら吸湿剤４で除湿され、乾燥空気となって本体連通部３２を通って油入電気機器内に導入される。一方、油入電気機器内の温度が上昇してその内圧が上り、該油入電気機器から排気を行う場合は、吸気と逆の行程で外部に排気される。
【０００９】
このような吸湿呼吸装置では、吸湿剤４が吸湿をして青色から桃色に変色した段階で、桃色に変色した吸湿剤４を、吸湿剤取出部９の吸湿剤取出蓋１３をあけて吸湿剤取出筒体１２から取り出し、新たな吸湿剤４を吸湿剤投入部３１の吸湿剤投入蓋３５をあけて吸湿剤収容室３に供給する必要がある。
【００１０】
【発明が解決しようとする課題】
しかしながら、従来の吸湿呼吸装置にあっては、吸湿剤４は吸湿剤収容室３内の下側から吸湿して桃色に変色するので、吸湿剤取出蓋１３をあけて吸湿剤取出筒体１２から吸湿剤４を取り出す際に、桃色に変色している部分だけ取り換えようとして、取り出しの途中で吸湿剤取出蓋１３を吸湿剤取出筒体１２の先端側内面のネジ部に螺合しようとしても、ネジ部に挟まった吸湿剤４が邪魔をして螺合することができず、吸湿剤収容室３内の吸湿剤４が全部外に出てしまう問題点があった。
【００１１】
本発明の目的は、吸湿剤取出筒体から吸湿剤を取り出す際にその排出量の調節を容易に行える吸湿呼吸装置を提供することにある。
【００１２】
本発明の他の目的は、吸湿剤収容室内内からの吸湿剤の部分的取出しを容易に行える吸湿呼吸装置を提供することにある。
【００１３】
本発明の他の目的は、排出量調節手段の取付けを吸湿剤取出筒体のネジ部を利用して行える吸湿呼吸装置を提供することにある。
【００１４】
【課題を解決するための手段】
本発明は、有底筒状の容器内が斜め下向きの通気性の受板で上下に仕切られ、受板上の容器内には吸湿剤を収容する吸湿剤収容室が形成され、容器の底部には呼吸用孔が設けられ、容器の上部には吸湿剤収容室に連通させる通気管と吸湿剤収容室内に吸湿剤を供給する吸湿剤投入部が設けられ、容器には吸湿剤収容室内の吸湿剤を排出する吸湿剤取出部が設けられ、吸湿剤取出部は基端の下面が受板の傾斜下端にほぼ一致するようにして該基端を容器内の吸湿剤収容室に連通させて先端を斜め下向きにして容器に気密に取付けられた吸湿剤取出筒体と、該吸湿剤取出筒体の先端側内面に周方向に刻設されたネジ部に螺着されて前記吸湿剤取出筒体の先端を閉塞する吸湿剤取出蓋とを備えて構成されている吸湿呼吸装置を改良するものである。
【００１５】
本発明に係る吸湿呼吸装置においては、吸湿剤取出部における吸湿剤取出筒体内には吸湿剤の排出量を調節する排出量調節手段が組み込まれていることを特徴とする。
【００１６】
このように吸湿剤取出筒体内に、吸湿剤の排出量を調節する排出量調節手段を組み込んでいると、吸湿剤取出蓋を開いて、この排出量調節手段を調節することにより吸湿剤の排出量を調節することができる。吸湿剤取出筒体からの吸湿剤の排出中に、排出量調節手段により吸湿剤の排出量を零にすると、吸湿した吸湿剤だけを部分的に排出させることができる。排出量調節手段により吸湿剤の排出量が零になっていると、吸湿剤取出筒体内面のネジ部に付着している吸湿剤の除去を容易に行うことができる。このためネジ部の清掃が済んだ後であれば、吸湿剤取出筒体のネジ部に対する吸湿剤取出蓋の螺着も容易に行うことができる。
【００１７】
本発明で排出量調節手段は、吸湿剤取出筒体のネジ部に螺合されていて吸湿剤を取出す吸湿剤取出し口を有する第１の吸湿剤阻止部材と、該第１の吸湿剤阻止部材に支持されていて吸湿剤取出し口の開度を調節する第２の吸湿剤阻止部材とを備えた構造になっていることが好ましい。このような排出量調節手段によれば、その取付けを吸湿剤取出筒体のネジ部を利用して容易に行うことができる。また、この排出量調節手段によれば、第２の吸湿剤阻止部材を操作して第１の吸湿剤阻止部材の吸湿剤取出し口の開度を調節することにより、吸湿剤の取出し量の調節を容易に行うことができる。
【００１８】
また、第２の吸湿剤阻止部材は回転角度の変更で吸湿剤取出し口の開度を調節できるように第１の吸湿剤阻止部材に回転可能に支持されていることが好ましい。このようになっていると、第２の吸湿剤阻止部材を回転する操作で吸湿剤取出し口の開度を調節することができる。
【００１９】
また、第２の吸湿剤阻止部材には第１の吸湿剤阻止部材に対する回転位置を固定するロック手段が設けられていることが好ましい。このようになっていると、第２の吸湿剤阻止部材を所定の回転位置でその状態を保持させることができる。
【００２０】
【発明の実施の形態】
図１〜図３（Ａ）（Ｂ）は本発明に係る吸湿呼吸装置における実施の形態の一例を示したもので、図１は本例の吸湿呼吸装置における要部縦断面図、図２（Ａ）は本例で用いている排出量調節手段で吸湿剤取出し口を開いた状態を示す正面図、図２（Ｂ）は本例で用いている排出量調節手段で吸湿剤取出し口を閉じた状態を示す正面図、図２（Ｃ）は本例で用いている排出量調節手段の第２の吸湿剤阻止部材の背面図、図３（Ａ）（Ｂ）は本例で排出量調節手段を組み込む前の吸湿呼吸装置の要部斜視図及び排出量調節手段を組み込んだ後の吸湿呼吸装置の要部破断斜視図である。
【００２１】
本例の吸湿呼吸装置は、吸湿剤取出部９の内部構成に特徴があり、その他の構成は前述した従来例と同様である。
【００２２】
即ち、この吸湿呼吸装置においては、吸湿剤取出部９における吸湿剤取出筒体１２内に、吸湿剤４の排出量を調節する排出量調節手段３９が組み込まれている。この排出量調節手段３９は、吸湿剤取出筒体１２の内周におけるネジ部４０に螺合されていて吸湿剤４を取出す円弧状の吸湿剤取出し口４１を有する第１の吸湿剤阻止部材４２と、該第１の吸湿剤阻止部材４２に支持されていて吸湿剤取出し口４１の開度を調節する第２の吸湿剤阻止部材４３とを備えた構造になっている。第１の吸湿剤阻止部材４２は、吸湿剤取出筒体１２内に嵌まり込む半径の周面を備え、その周面には吸湿剤取出筒体１２のネジ部４０に螺合するネジ部４４が設けられ且つ該周面の180 °異なる位置には所用の半径で円弧状に吸湿剤取出し口４１が設けられた構造になっていて、吸湿剤取出筒体１２の内周のネジ部４０に螺合されて所定の位置に位置決めされている。第２の吸湿剤阻止部材４３は、第１の吸湿剤阻止部材４２の半径より若干小さい半径（吸湿剤取出筒体１２内で自由に回れる程度の半径）の周面を備え、その周面の180 °異なる位置には吸湿剤取出し口４１と同程度の半径で円弧状に吸湿剤取出し口４５が設けられている。この第２の吸湿剤阻止部材４３は、その中心を回転自在に貫通して第１の吸湿剤阻止部材４２の中心に螺合されたネジよりなる支持軸４６により該第１の吸湿剤阻止部材４２に対して回転自在に支持されている。ネジよりなる支持軸４６は、波ワッシャ４６Ａと平ワッシャ４６Ｂを介して第２の吸湿剤阻止部材４３を押圧して第１の吸湿剤阻止部材４２に締付けられている。対向配置された第１の吸湿剤阻止部材４２と第２の吸湿剤阻止部材４３との対向面には、第２の吸湿剤阻止部材４３を所定の回転位置でその位置を保持させるために、第１の吸湿剤阻止部材４２の面にはロック凹部４７が設けられ、第２の吸湿剤阻止部材４３の面にはロック凹部４７に嵌まるロック凸部４８が設けられている。これらロック凹部４７とロック凸部４８とにより、第２の吸湿剤阻止部材４３の回転位置を保持させるロック手段４９が構成されている。
【００２３】
このように吸湿剤取出筒体１２内に、吸湿剤４の排出量を調節する排出量調節手段３９を組み込んでいると、吸湿剤取出蓋１３を開いて、この排出量調節手段３９を調節することにより吸湿剤４の排出量を調節することができる。吸湿剤取出筒体１２からの吸湿剤４の排出中に、排出量調節手段３９により吸湿剤４の排出量を零にすると、吸湿した吸湿剤４だけを部分的に排出させることができる。排出量調節手段３９により吸湿剤４の排出量が零になっていると、吸湿剤取出筒体１２内面のネジ部４０に付着している吸湿剤４の除去を容易に行うことができる。このためネジ部４０の清掃が済んだ後であれば、吸湿剤取出筒体１２のネジ部４０に対する吸湿剤取出蓋１３の螺着も容易に行うことができる。
【００２４】
本例で排出量調節手段３９は、吸湿剤取出筒体１２のネジ部４０に螺合されていて吸湿剤４を取出す吸湿剤取出し口４１を有する第１の吸湿剤阻止部材４２と、該第１の吸湿剤阻止部材４２に支持されていて吸湿剤取出し口４１の開度を調節する第２の吸湿剤阻止部材４３とを備えた構造になっているので、その取付けは吸湿剤取出筒体１２のネジ部４０を利用して容易に行うことができる。また、この排出量調節手段３９によれば、第２の吸湿剤阻止部材４３を操作して第１の吸湿剤阻止部材４２の吸湿剤取出し口４１の開度を調節することにより、吸湿剤４の取出し量の調節を容易に行うことができる。
【００２５】
また、第２の吸湿剤阻止部材４３は回転角度の変更で吸湿剤取出し口４１の開度を調節できるように第１の吸湿剤阻止部材４２に回転可能に支持されているので、第２の吸湿剤阻止部材４３を回転する操作で吸湿剤取出し口４１の開度を調節することができる。
【００２６】
また、第２の吸湿剤阻止部材４３には第１の吸湿剤阻止部材４２に対する回転位置を固定するロック手段４９が設けられているので、第２の吸湿剤阻止部材４３を所定の回転位置でその状態を保持させることができ、第１の吸湿剤阻止部材４２の吸湿剤取出し口４１と第２の吸湿剤阻止部材４３の吸湿剤取出し口４５が合致した状態と、合致せず閉じた状態との保持を容易に行わせることができる。
【００２７】
また、第１の吸湿剤阻止部材４２の吸湿剤取出し口４１と第２の吸湿剤阻止部材４３の吸湿剤取出し口４５は、上記例のような溝に限らず、孔であってもよい。さらに第２の吸湿剤阻止部材４３の形状は、上記例の形状に限定されるものではなく、第１の吸湿剤阻止部材４２の吸湿剤取出し口４１を塞ぐ幅を有する板であってもよい。
【００２８】
また、第２の吸湿剤阻止部材４３には、凹状あるいは凸状の取っ手を設けてもよい。このように第２の吸湿剤阻止部材４３に取っ手を設けると、該第２の吸湿剤阻止部材４３の回転操作を容易に行うことができる。
【００２９】
【発明の効果】
本発明に係る吸湿呼吸装置においては、吸湿剤取出部における吸湿剤取出筒体内には吸湿剤の排出量を調節する排出量調節手段を組み込んでいるので、吸湿剤取出蓋を開いて、この排出量調節手段を調節することにより吸湿剤の排出量を調節することができる。吸湿剤取出筒体からの吸湿剤の排出中に、排出量調節手段により吸湿剤の排出量を零にすると、吸湿した吸湿剤だけを部分的に排出させることができる。排出量調節手段により吸湿剤の排出量が零になっていると、吸湿剤取出筒体内面のネジ部に付着している吸湿剤の除去を容易に行うことができる。このためネジ部の清掃が済んだ後であれば、吸湿剤取出筒体のネジ部に対する吸湿剤取出蓋の螺着も容易に行うことができる。
【図面の簡単な説明】
【図１】本発明に係る吸湿呼吸装置における実施の形態の一例の要部縦断面図である。
【図２】（Ａ）は本例で用いている排出量調節手段で吸湿剤取出し口を開いた状態を示す正面図、（Ｂ）は本例で用いている排出量調節手段で吸湿剤取出し口を閉じた状態を示す正面図、（Ｃ）は本例で用いている排出量調節手段の第２の吸湿剤阻止部材の背面図である。
【図３】（Ａ）（Ｂ）は本例で排出量調節手段を組み込む前の吸湿呼吸装置の要部斜視図及び排出量調節手段を組み込んだ後の吸湿呼吸装置の要部破断斜視図である。
【図４】従来の吸湿呼吸装置の正面図である。
【図５】従来の吸湿呼吸装置の縦断面図である。
【符号の説明】
１  容器
２  受板
３  吸湿剤収容室
４  吸湿剤
５  通気孔
６  金網
７  ビス
８  吸湿剤監視窓
９  吸湿剤取出部
１０  枠体
１０Ａ  下側構成部材
１１  傾斜面
１２  吸湿剤取出筒体
１３  吸湿剤取出蓋
１４  パッキン
１５  底部
１６  吸排気孔
１７  オイルポット
１８  座板
１９  連結リング
２０  通気口
２１  油面位置基準線
２２  シール油
２３  吸排気管
２４  上向きに切込み
２５  覗き窓
２６  フランジ
２７  パッキン
２８  主蓋
２９  ボルト
３０  ナット
３１  吸湿剤投入部
３２  本体連通部
３３  吸湿剤投入孔
３３  筒体
３５  吸湿剤投入蓋
３６  通気孔
３７  通気管
３８  接続フランジ
３９  排出量調節手段
４０  ネジ部
４１  吸湿剤取出し口
４２  第１の吸湿剤阻止部材
４３  第２の吸湿剤阻止部材
４４  ネジ部
４５  吸湿剤取出し口
４６  支持軸
４６Ａ  波ワッシャ
４６Ｂ  平ワッシャ
４７  ロック凹部
４８  ロック凸部
４９  ロック手段
【図１】
0004087027.tif 000002
【図２】
0004087027.tif 000003
【図３】
0004087027.tif 000004
【図４】
0004087027.tif 000005
【図５】
0004087027.tif 000006